【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
光をユーザの眼に投影し、拡張現実画像コンテンツを前記ユーザの視野内に表示するように構成される頭部搭載型ディスプレイシステムであって、前記頭部搭載型ディスプレイシステムは、
ユーザの頭部上に支持されるように構成されるフレームと、
前記フレーム上に配置される頭部搭載型ディスプレイであって、前記ディスプレイは、光を前記ユーザの眼の中に投影し、前記ユーザの眼からの異なる距離から投影されるかのように、異なる発散量において拡張現実画像コンテンツをユーザの視野内に表示するように構成され、前記ディスプレイの少なくとも一部分は、透明であり、かつ、前記透明部分が、前記ユーザおよび前記頭部搭載型ディスプレイの正面の環境の一部分からの光を前記ユーザの眼に伝送し、前記ユーザおよび前記頭部搭載型ディスプレイの正面の環境の前記一部分のビューを提供するように、前記ユーザが前記頭部搭載型ディスプレイデバイスを装着すると、前記ユーザの眼の正面の場所に配置される、頭部搭載型ディスプレイと、
前記ユーザを感知するように構成される１つまたは複数のユーザセンサと、
前記ユーザの周囲を感知するように構成される１つまたは複数の環境センサと、
前記ディスプレイ、前記１つまたは複数のユーザセンサ、および前記１つまたは複数の環境センサと通信する処理電子機器であって、前記処理電子機器は、
増加されたユーザ注目を伴う状況を感知することと、
前記増加された焦点の感知に少なくとも部分的に基づいて、前記ユーザの視野内の実オブジェクトまたは仮想オブジェクトのユーザ知覚を改変することと
を行うように構成される、処理電子機器と
を備える、頭部搭載型ディスプレイシステム。
【請求項２】
前記処理電子機器は、前記オブジェクトを備える画像コンテンツを改変することによって、前記ユーザの視野内の実または仮想オブジェクトのユーザ知覚を改変するように構成される、請求項１に記載のディスプレイシステム。
【請求項３】
画像コンテンツを改変することは、前記オブジェクトの画像コンテンツを第１の場所から第２の場所に移動させることを含む、請求項２に記載のディスプレイシステム。
【請求項４】
前記第１の場所は、周辺領域であり、前記第２の場所は、中心領域である、または前記第１の場所は、前記中心領域であり、前記第２の場所は、前記周辺領域である、請求項３に記載のディスプレイシステム。
【請求項５】
画像コンテンツを改変することは、前記オブジェクトを備える画像コンテンツのコントラスト、不透明度、色、色飽和、カラーバランス、サイズ、背景、明度、縁、または鮮明度のうちの少なくとも１つを改変することを含む、請求項２に記載のディスプレイシステム。
【請求項６】
前記１つまたは複数の環境センサは、深度センサ、一対の両眼世界カメラ、地理位置センサ、近接度センサ、またはＧＰＳを備える、請求項１−５のいずれかに記載のディスプレイシステム。
【請求項７】
前記１つまたは複数のユーザセンサは、１つまたは複数のカメラを備える、請求項１−６のいずれかに記載のディスプレイシステム。
【請求項８】
前記処理電子機器は、前記増加された焦点の感知に少なくとも部分的に基づいて、前記状況に対するユーザ意図を判定し、前記ユーザの視野内の実オブジェクトまたは仮想オブジェクトのユーザ知覚を改変するようにさらに構成される、請求項１−７のいずれかに記載のディスプレイシステム。
【請求項９】
増加されたユーザ注目を伴う前記状況は、自動車両を運転することを含む、請求項１−８のいずれかに記載のディスプレイシステム。
【請求項１０】
前記１つまたは複数の環境センサは、無線信号を検出するように構成されるセンサを備える、請求項９に記載のディスプレイシステム。
【請求項１１】
前記１つまたは複数の環境センサは、自動車からのＢｌｕｅｔｏｏｔｈ（登録商標）信号を検出するように構成されるセンサを備える、請求項１０に記載のディスプレイシステム。
【請求項１２】
前記処理電子機器は、前記ユーザに関する１つまたは複数のデータ記録に少なくとも部分的に基づいて、前記ユーザの視野内の実オブジェクトまたは仮想オブジェクトのユーザ知覚を改変するように構成され、前記１つまたは複数のデータ記録は、前記ユーザの運転記録を含む、請求項９に記載のディスプレイシステム。
【請求項１３】
光をユーザの眼に投影し、拡張現実画像コンテンツを表示するように構成される頭部搭載型ディスプレイシステムであって、前記ユーザの眼は、中心領域と、前記中心領域を中心として配置される周辺領域とを有する視野を有し、前記頭部搭載型ディスプレイシステムは、
ユーザの頭部上に支持されるように構成されるフレームと、
前記フレーム上に配置される頭部搭載型ディスプレイであって、前記ディスプレイは、画像コンテンツを前記ユーザの視野の中心領域に提示するように、光を前記ユーザの眼の中に投影するように構成され、前記ディスプレイの少なくとも一部分は、透明であり、かつ、前記透明部分が、前記ユーザおよび前記頭部搭載型ディスプレイの正面の環境の一部分からの光をユーザの眼に伝送し、前記ユーザおよび前記頭部搭載型ディスプレイの正面の環境の前記一部分のビューを提供するように、前記ユーザが前記頭部搭載型ディスプレイデバイスを装着すると、前記ユーザの眼の正面の場所に配置される、頭部搭載型ディスプレイと、
前記ディスプレイと通信し、前記ディスプレイ上での画像コンテンツの提示を制御する処理電子機器と
を備え、
前記頭部搭載型ディスプレイシステムは、前記ユーザの視野の中心領域に、前記ユーザの視野の周辺領域に提示される画像コンテンツと比較して増強された画像コンテンツを提示するように構成される、頭部搭載型ディスプレイシステム。
【請求項１４】
前記環境を監視するように構成される１つまたは複数のセンサをさらに備える、請求項１３に記載のシステム。
【請求項１５】
前記１つまたは複数のセンサは、前記環境を結像するように構成される１つまたは複数の外向きに面した画像捕捉デバイスを備える、請求項１４に記載のシステム。
【請求項１６】
１つまたは複数のセンサは、距離測定デバイスを備える、請求項１４または１５に記載のシステム。
【請求項１７】
前記ユーザの眼の位置および／または移動を追跡するように構成される眼追跡デバイスをさらに備える、請求項１３−１６のいずれかに記載のシステム。
【請求項１８】
前記頭部搭載型ディスプレイデバイスは、前記ユーザの視野の周辺領域に提示される画像コンテンツと比較して、前記ユーザの視野の中心領域の少なくとも一部分に提示される画像コンテンツを異なるように処理するように構成される、請求項１３−１７のいずれかに記載のシステム。
【請求項１９】
前記頭部搭載型ディスプレイデバイスは、前記ユーザの視野の周辺領域に提示される画像コンテンツと比較して、前記ユーザの視野の中心領域の少なくとも一部分に提示される画像コンテンツを拡大することによって、画像コンテンツを異なるように処理するように構成される、請求項１８に記載のシステム。
【請求項２０】
前記頭部搭載型ディスプレイデバイスは、前記ユーザの視野の周辺領域に提示される画像コンテンツと比較して、前記ユーザの視野の中心領域の少なくとも一部分に提示される画像コンテンツにおける明度を増加させることによって、画像コンテンツを異なるように処理するように構成される、請求項１８または１９に記載のシステム。
【手続補正２】
【補正対象書類名】明細書
【補正対象項目名】００２４
【補正方法】変更
【補正の内容】
【００２４】
実施例セットＶ
１．光をユーザの眼に投影し、拡張現実画像コンテンツを表示するように構成される、医療処置および／または診断において使用するための頭部搭載型ディスプレイシステムであって、該ユーザの眼は、中心領域と、該中心領域を中心として配置される周辺領域を有する、視野を有し、
ユーザの頭部上に支持されるように構成される、フレームと、
フレーム上に配置される、ディスプレイであって、該ディスプレイは、光を複数の深度平面上において該ユーザの眼の中に投影するように構成され、該ディスプレイの少なくとも一部は、透明部分が、ユーザの正面の環境の一部からの光をユーザの眼に伝送し、ユーザの正面の環境の該部分のビューを提供するように、透明であって、ユーザが該頭部搭載型ディスプレイを装着すると、ユーザの眼の正面の場所に配置される、ディスプレイと、
該ディスプレイと通信し、該ディスプレイ上での画像コンテンツの提示を制御する、処理電子機器と、
を備える、頭部搭載型ディスプレイ。
２．該頭部搭載型ディスプレイシステムは、ユーザの正面の環境の少なくとも該部分の３Ｄ表現を構築し、環境の少なくとも該部分の表現を解釈するように構成され、該環境の該部分は、患者を含み、該頭部搭載型ディスプレイはさらに、患者と関連付けられた第１の構造を患者と関連付けられた第２の構造から区別するように構成される、実施例１に記載のシステム。
３．透明であって、ユーザの眼の正面の場所に配置される、該ディスプレイの少なくとも該部分は、１つまたはそれを上回る導波管を備える、前述の実施例のいずれかに記載のシステム。
４．光を該１つまたはそれを上回る導波管の中に指向するように構成される、１つまたはそれを上回る光源を備え、導波管は、光をユーザの眼の中に指向するように構成される、実施例３に記載のシステム。
５．該１つまたはそれを上回る光源は、ファイバ走査プロジェクタを備える、実施例３−４のいずれかに記載のシステム。
６．環境を監視するように構成される、１つまたはそれを上回るセンサをさらに備える、前述の実施例のいずれかに記載のシステム。
７．該１つまたはそれを上回るセンサは、該環境を結像するように構成される、１つまたはそれを上回る外向きに面した画像捕捉デバイスを備える、実施例６に記載のシステム。
８．該環境を結像するように構成される、該１つまたはそれを上回る外向きに面した画像捕捉デバイスは、１つまたはそれを上回る外向きに面したカメラを備える、実施例７に記載のシステム。
９．距離測定デバイスをさらに備える、前述の実施例のいずれかに記載のシステム。
１０．該ユーザの眼の位置および／または移動を追跡するように構成される、眼追跡デバイスをさらに備える、前述の実施例のいずれかに記載のシステム。
１１．頭部搭載型ディスプレイは、ユーザの視野内のヒト組織の体積を推定するように構成される、前述の実施例のいずれかに記載のシステム。
１２．頭部搭載型ディスプレイは、環境内の２つのオブジェクト間の距離を測定するように構成される、前述の実施例のいずれかに記載のシステム。
１３．頭部搭載型ディスプレイは、ディスプレイ上に提示される第１の画像モダリティと第２の画像モダリティとの間でトグルするように構成される、前述の実施例のいずれかに記載のシステム。
１４．第１の画像モダリティは、ＭＲＩ走査を備える、実施例１３に記載のシステム。
１５．第２の画像モダリティは、超音波を備える、実施例１３−１４のいずれかに記載のシステム。
１６．第１の画像モダリティは、Ｘ線走査を備える、実施例１３−１５のいずれかに記載のシステム。
１７．超音波音波を生産するように適合される、電子エミッタをさらに備える、前述の実施例のいずれかに記載のシステム。
１８．超音波音波を電気信号に変換するように適合される、センサをさらに備える、前述の実施例のいずれかに記載のシステム。
１９．頭部搭載型ディスプレイは、ユーザが、仮想基準マーカをユーザの眼に対してユーザの正面の環境の一部上に設置することを可能にするように構成される、前述の実施例のいずれかに記載のシステム。
２０．頭部搭載型ディスプレイは、画像が環境内の実世界オブジェクトに添付されて現れるように、画像をディスプレイ上に投影するように構成される、前述の実施例のいずれかに記載のシステム。
２１．頭部搭載型ディスプレイは、仮想切断ガイドラインが切断されるべきヒト身体領域上にオーバーレイされるようにユーザに現れるように、仮想切断ガイドラインを表示するように構成される、または切断されるべき部分へのアクセスを与える、前述の実施例のいずれかに記載のシステム。
２２．仮想切断ガイドラインの見掛け場所は、患者の身体部分の位置に関連するように現れる、実施例２１に記載のシステム。
２３．頭部搭載型ディスプレイは、信号を放出し、ユーザの正面の環境の一部内のオブジェクトの位置に関するデータを取得するように構成される、前述の実施例のいずれかに記載のシステム。
２４．頭部搭載型ディスプレイは、オブジェクト場所のデータベースを使用して、ユーザの正面の環境の一部内のオブジェクトの位置を取得するように構成される、前述の実施例のいずれかに記載のシステム。
２５．頭部搭載型ディスプレイは、該オブジェクト場所のデータベースに基づいて、基準点を設定し、画像が基準点に対して固定されて現れるように、画像をユーザの眼の中に投影するように構成される、実施例２４に記載のシステム。
２６．頭部搭載型ディスプレイは、ユーザ入力に基づいて、オブジェクトの３Ｄ画像のビューを軸を中心として回転させるように構成される、前述の実施例のいずれかに記載のシステム。
２７．頭部搭載型ディスプレイは、ユーザ入力に基づいて、３Ｄオブジェクトの画像のビューを平行移動させるように構成される、前述の実施例のいずれかに記載のシステム。
２８．頭部搭載型ディスプレイは、オブジェクトの３Ｄ画像の第１のスライスを表示するように構成される、前述の実施例のいずれかに記載のシステム。
２９．頭部搭載型ディスプレイは、３Ｄ画像の第１のスライスの画像および第２のスライスの画像を通してシーケンス化するように構成される、実施例２８に記載のシステム。
３０．頭部搭載型ディスプレイは、頭部搭載型ディスプレイの第２のユーザが伝送される環境の該部分の該画像を視認し得るように、ユーザの正面の環境の一部の画像を伝送するように構成される、前述の実施例のいずれかに記載のシステム。
３１．頭部搭載型ディスプレイは、ユーザに医療手技におけるステップをアラートするように構成される、前述の実施例のいずれかに記載のシステム。
３２．頭部搭載型ディスプレイは、ユーザの医療パラメータを監視し、医療パラメータに基づいて、アラートを提供するように構成される、前述の実施例のいずれかに記載のシステム。
３３．ユーザの医療パラメータは、バイタルサインを含む、実施例３２に記載のシステム。
３４．頭部搭載型ディスプレイは、超音波を放出し、該超音波から生じる信号を測定するように構成され、頭部搭載型ディスプレイはさらに、信号に基づいて、超音波画像を形成するように構成される、前述の実施例のいずれかに記載のシステム。
３５．頭部搭載型ディスプレイは、ユーザにユーザの視野外のオブジェクトおよび／またはイベントをアラートするように構成される、前述の実施例のいずれかに記載のシステム。
３６．光を該ユーザの眼の中に指向し、画像を眼内に形成するように構成される、１つまたはそれを上回る光源をさらに備える、前述の実施例のいずれかに記載のシステム。
３７．該１つまたはそれを上回る光源は、ファイバ走査プロジェクタを備える、前述の実施例のいずれかに記載のシステム。
３８．頭部搭載型ディスプレイは、エネルギーを患者に向かって放出し、返されるエネルギーを感知するように構成される、前述の実施例のいずれかに記載のシステム。
３９．エネルギーは、超音波を備える、実施例３８に記載のシステム。
４０．頭部搭載型ディスプレイは、第１の画像モダリティと第１の画像モダリティと異なる第２の画像モダリティを組み合わせるように構成される、前述の実施例のいずれかに記載のシステム。
４１．第１の画像モダリティおよび第２の画像モダリティはそれぞれ、ＭＲＩ、ＣＴ、ＰＥＴ、ＭＲＡ、またはＣＴＡ走査からの画像を備える、実施例４０に記載のシステム。
４２．頭部搭載型ディスプレイは、第１および第２の画像モダリティの組み合わせられた画像を患者の実際の解剖学的構造にわたって整合させるように構成される、実施例４０または４１に記載のシステム。
本発明は、例えば、以下を提供する。
（項目１）
光をユーザの眼に投影し、拡張現実画像コンテンツを前記ユーザの視野内に表示するように構成される、頭部搭載型ディスプレイシステムであって、前記頭部搭載型ディスプレイシステムは、
ユーザの頭部上に支持されるように構成されるフレームと、
前記フレーム上に配置される頭部搭載型ディスプレイであって、前記ディスプレイは、光を前記ユーザの眼の中に投影し、前記ユーザの眼からの異なる距離から投影されるかのように、異なる発散量において拡張現実画像コンテンツをユーザの視野内に表示するように構成され、前記ディスプレイの少なくとも一部分は、前記透明部分が、前記ユーザおよび前記頭部搭載型ディスプレイの正面の環境の一部分からの光をユーザの眼に伝送し、前記ユーザおよび前記頭部搭載型ディスプレイの正面の環境の前記一部分のビューを提供するように、透明であり、かつ、前記ユーザが前記頭部搭載型ディスプレイデバイスを装着すると、前記ユーザの眼の正面の場所に配置される、頭部搭載型ディスプレイと、
前記ユーザを感知するように構成される、１つまたはそれを上回るユーザセンサと、
前記ユーザの周囲を感知するように構成される、１つまたはそれを上回る環境センサと、
前記ディスプレイ、前記１つまたはそれを上回るユーザセンサ、および前記１つまたはそれを上回る環境センサと通信する処理電子機器であって、前記処理電子機器は、
増加されたユーザ注目を伴う状況を感知することと、
少なくとも部分的に、前記増加された焦点の感知に基づいて、前記ユーザの視野内の実または仮想オブジェクトのユーザ知覚を改変することと
を行うように構成される、処理電子機器と
を備える、頭部搭載型ディスプレイシステム。
（項目２）
前記処理電子機器は、前記オブジェクトを備える画像コンテンツを改変することによって、前記ユーザの視野内の実または仮想オブジェクトのユーザ知覚を改変するように構成される、項目１に記載のディスプレイシステム。
（項目３）
画像コンテンツを改変することは、前記オブジェクトの画像コンテンツを第１の場所から第２の場所に移動させることを含む、項目２に記載のディスプレイシステム。
（項目４）
前記第１の場所は、周辺領域であり、前記第２の場所は、中心領域である、または前記第１の場所は、前記中心領域であり、前記第２の場所は、前記周辺領域である、項目３に記載のディスプレイシステム。
（項目５）
画像コンテンツを改変することは、前記オブジェクトを備える画像コンテンツのコントラスト、不透明度、色、色飽和、カラーバランス、サイズ、背景、明度、縁、または鮮明度のうちの少なくとも１つを改変することを含む、項目２に記載のディスプレイシステム。
（項目６）
前記１つまたはそれを上回る環境センサは、深度センサ、一対の両眼世界カメラ、地理位置センサ、近接度センサ、またはＧＰＳを備える、項目１−７のいずれかに記載のディスプレイシステム。
（項目７）
前記１つまたはそれを上回るユーザセンサは、１つまたはそれを上回るカメラを備える、項目１−６のいずれかに記載のディスプレイシステム。
（項目８）
前記処理電子機器はさらに、少なくとも部分的に、前記増加された焦点の感知に基づいて、前記状況に対するユーザ意図を判定し、前記ユーザの視野内の実または仮想オブジェクトのユーザ知覚を改変するように構成される、項目１−７のいずれかに記載のディスプレイシステム。
（項目９）
増加されたユーザ注目を伴う前記状況は、自動車両を運転することを含む、項目１−８のいずれかに記載のディスプレイシステム。
（項目１０）
前記環境センサは、無線信号を検出するように構成されるセンサを備える、項目９に記載のディスプレイシステム。
（項目１１）
前記環境センサは、自動車からのＢｌｕｅｔｏｏｔｈ（登録商標）信号を検出するように構成されるセンサを備える、項目１０に記載のディスプレイシステム。
（項目１２）
前記処理電子機器は、少なくとも部分的に、前記ユーザに関する１つまたはそれを上回るデータ記録に基づいて、前記ユーザの視野内の実または仮想オブジェクトのユーザ知覚を改変するように構成され、前記１つまたはそれを上回るデータ記録は、前記ユーザの運転記録を含む、項目９に記載のディスプレイシステム。
（項目１３）
光をユーザの眼に投影し、拡張現実画像コンテンツを表示するように構成される頭部搭載型ディスプレイシステムであって、前記ユーザの眼は、中心領域と、前記中心領域を中心として配置される周辺領域を有する、視野を有し、前記頭部搭載型ディスプレイシステムは、
ユーザの頭部上に支持されるように構成されるフレームと、
前記フレーム上に配置される頭部搭載型ディスプレイであって、前記ディスプレイは、画像コンテンツを前記ユーザの視野の中心領域に提示するように、光を前記ユーザの眼の中に投影するように構成され、前記ディスプレイの少なくとも一部分は、前記透明部分が、前記ユーザおよび前記頭部搭載型ディスプレイの正面の環境の一部分からの光をユーザの眼に伝送し、前記ユーザおよび前記頭部搭載型ディスプレイの正面の環境の前記一部分のビューを提供するように、透明であり、かつ、前記ユーザが前記頭部搭載型ディスプレイデバイスを装着すると、前記ユーザの眼の正面の場所に配置される、頭部搭載型ディスプレイと、
前記ディスプレイと通信し、前記ディスプレイ上での画像コンテンツの提示を制御する、処理電子機器と
を備え、
前記頭部搭載型ディスプレイシステムは、前記ユーザの視野の中心領域に、前記ユーザの視野の周辺領域に提示される画像コンテンツと比較して増強された画像コンテンツを提示するように構成される、頭部搭載型ディスプレイシステム。
（項目１４）
前記環境を監視するように構成される１つまたはそれを上回るセンサをさらに備える、項目１０に記載のシステム。
（項目１５）
前記１つまたはそれを上回るセンサは、前記環境を結像するように構成される１つまたはそれを上回る外向きに面した画像捕捉デバイスを備える、項目１１に記載のシステム。
（項目１６）
１つまたはそれを上回るセンサは、距離測定デバイスを備える、項目１１または１２に記載のシステム。
（項目１７）
前記ユーザの眼の位置および／または移動を追跡するように構成される眼追跡デバイスをさらに備える、項目１０−１３のいずれかに記載のシステム。
（項目１８）
前記頭部搭載型ディスプレイデバイスは、前記ユーザの視野の周辺領域に提示される画像コンテンツと比較して、前記ユーザの視野の中心領域の少なくとも一部分に提示される画像コンテンツを異なるように処理するように構成される、項目１０−１５のいずれかに記載のシステム。
（項目１９）
前記頭部搭載型ディスプレイデバイスは、前記ユーザの視野の周辺領域に提示される画像コンテンツと比較して、前記ユーザの視野の中心領域の少なくとも一部分に提示される画像コンテンツを拡大することによって、画像コンテンツを異なるように処理するように構成される、項目１６に記載のシステム。
（項目２０）
前記頭部搭載型ディスプレイデバイスは、前記ユーザの視野の周辺領域に提示される画像コンテンツと比較して、前記ユーザの視野の中心領域の少なくとも一部分に提示される画像コンテンツにおける明度を増加させることによって、画像コンテンツを異なるように処理するように構成される、項目１６または１７に記載のシステム。